【手続補正書】
【提出日】平成17年12月22日(2005.12.22)
【手続補正１】
【補正対象書類名】明細書
【補正対象項目名】特許請求の範囲
【補正方法】変更
【補正の内容】
【特許請求の範囲】
【請求項１】
脱衣室に冷風を供給する脱衣室冷房装置であって、
蒸発器、凝縮器及び圧縮機より構成される冷凍サイクルと、
脱衣室吸込口より前記脱衣室内の空気を吸込み、該空気を前記蒸発機を介して脱衣室吹出口より前記脱衣室内に戻す脱衣室用送風ファンと、
浴室吸込口より浴室内の空気を吸込み、該空気を浴室吹出口より前記浴室内に戻す浴室用送風ファンと、
前記冷凍サイクル、前記脱衣室用送風ファン及び前記浴室用送風ファンの運転を制御する制御部と、を備え、
前記浴室用送風ファンは、前記凝縮器を介して前記浴室内に空気を戻すことを特徴とする脱衣室冷房装置。
【請求項２】
前記制御部は、前記浴室内の換気を行う換気装置の運転を制御可能であって、前記脱衣室の冷房運転時に前記換気装置を運転させる換気扇連動回路を備えたことを特徴とする請求項１記載の脱衣室冷房装置。
【請求項３】
前記浴室吹出口からの風向を変更する吹出口風向変更手段を前記浴室吹出口に備えたことを特徴とする請求項１記載の脱衣室冷房装置。
【請求項４】
前記脱衣室の冷房運転時に前記蒸発器で発生する結露水を前記浴室内に排出する排水機構を備えたことを特徴とする請求項１記載の脱衣室冷房装置。
【手続補正２】
【補正対象書類名】明細書
【補正対象項目名】０００８
【補正方法】変更
【補正の内容】
【０００８】
【課題を解決するための手段及びその作用・効果】
上記目的を達成するため、請求項１記載の発明においては、脱衣室に冷風を供給する脱衣室冷房装置であって、蒸発器、凝縮器及び圧縮機より構成される冷凍サイクルと、脱衣室吸込口より前記脱衣室内の空気を吸込み、該空気を前記蒸発機を介して脱衣室吹出口より前記脱衣室内に戻す脱衣室用送風ファンと、浴室吸込口より浴室内の空気を吸込み、該空気を浴室吹出口より前記浴室内に戻す浴室用送風ファンと、前記冷凍サイクル、前記脱衣室用送風ファン及び前記浴室用送風ファンの運転を制御する制御部と、を備え、前記浴室用送風ファンは、前記凝縮器を介して前記浴室内に空気を戻すことを特徴とした。このように構成された本発明によれば、脱衣室の冷房運転時には、蒸発器により冷却された空気を脱衣室に供給して冷房すると同時に、凝縮器により加熱された空気を浴室内へ供給するので、浴室内の乾燥を無駄なエネルギーを使用することなく効率良く実現することができる。
【手続補正３】
【補正対象書類名】明細書
【補正対象項目名】０００９
【補正方法】変更
【補正の内容】
【０００９】
さらに請求項２記載の発明においては、前記制御部は、前記浴室内の換気を行う換気装置の運転を制御可能であって、前記脱衣室の冷房運転時には前記換気装置を運転させる換気扇連動回路を備えたことを特徴としている。このように構成された本発明によれば、浴室には温風を供給するとともに、浴室内の湿気を屋外へ排出することができるので、浴室内の乾燥をより一層促進することができる。
【手続補正４】
【補正対象書類名】明細書
【補正対象項目名】００１０
【補正方法】変更
【補正の内容】
【００１０】
さらに請求項３記載の発明においては、前記浴室吹出口からの風向を変更する吹出口風向変更手段を前記浴室吹出口に備えたことを特徴としている。このように構成された本発明によれば、浴室の天井面あるいは壁面を効率良く乾燥させることができる。
【手続補正５】
【補正対象書類名】明細書
【補正対象項目名】００１１
【補正方法】変更
【補正の内容】
【００１１】
さらに請求項４記載の発明においては、前記脱衣室の冷房運転時に前記蒸発器で発生する結露水を前記浴室内に排出する排水機構を備えたことを特徴としている。このように構成された本発明によれば、装置内部で発生した結露水が脱衣室内に滴下することがないため、使用者に不快感を与えずに排水することができる。
【手続補正６】
【補正対象書類名】明細書
【補正対象項目名】００１７
【補正方法】変更
【補正の内容】
【００１７】
図２は、本発明における脱衣室冷房装置の一実施形態を示す図である。ここで、脱衣室冷房装置１の主な機能としては、内部に備えた脱衣室用送風ファン１７の作動により脱衣室Ｂ内の空気を脱衣室冷房装置１前面の化粧カバー３に設けた脱衣室吸込口５から吸込んで内部に備えた蒸発器２１で冷却し、脱衣室吹出口７から再び脱衣室Ｂ内に吹出す冷房機能、更には、内部に備えた脱衣室用送風ファン１７の作動により脱衣室Ｂ内の空気を脱衣室冷房装置１前面の化粧カバー３に設けた脱衣室吸込口５から吸込んで、脱衣室吹出口７から再び脱衣室Ｂ内に吹出す送風機能を備える。そして、脱衣室Ｂの冷房運転のときには浴室用送風ファン１９により浴室吸込口１３から吸込まれた浴室Ａの空気が内部に備えた凝縮器２３で加熱され、温風として浴室吹出口１２から浴室Ａ内に供給する。
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】変更
【補正の内容】
【００２０】
脱衣室冷房装置１は前述したように浴室Ａの天井裏に設置され、脱衣室Ｂの壁面には化粧カバー３が取付けられている。化粧カバー３には脱衣室冷房装置１内部にほこりの侵入を防止するためのフィルター（図示しない）を備えた脱衣室吸込口５及び脱衣室吹出口７が設けられ、脱衣室吹出口７には送風方向を変更するためのルーバー２７が備えられている。一方、浴室Ａの天井面には化粧カバー１１が取付けられていて、脱衣室冷房装置１内部にほこりの侵入を防止するためのフィルター（図示しない）を備えた浴室吸込口１３及び浴室吹出口１２が備えられている。さらに、脱衣室吹出口７同様に、浴室吹出口１２には送風方向を変更するための浴室ルーバー３１が備えられている。なお、浴室ルーバー３１はリモコン９の操作により、図示しないモータなどの駆動手段により電気的に駆動し、風向を自動的に変更できる構成としている。
【手続補正９】
【補正対象書類名】明細書
【補正対象項目名】００２２
【補正方法】変更
【補正の内容】
【００２２】
また、脱衣室吸込み口５と脱衣室用送風ファン１７との間には蒸発器２１が設けられ、脱衣室用送風ファン１７により脱衣室Ｂ内から吸込まれた空気が蒸発器２１により冷却され、送風通路２５を介して脱衣室吹出口７から冷風として脱衣室Ｂ内へ供給される。同様に、浴室吸込み口１３と浴室用送風ファン１９との間には凝縮器２３が設けられ、浴室用ファン１９により浴室Ａ内から吸込まれた空気が凝縮器２３により加熱され、送風通路２９を介して浴室吹出口１２から温風として浴室Ａ内へ供給される。
【手続補正１０】
【補正対象書類名】明細書
【補正対象項目名】００２６
【補正方法】変更
【補正の内容】
【００２６】
制御手段３５はリモコン９から冷房運転の指示が来ると、コンプレッサＰに駆動信号を送る。コンプレッサＰにより冷媒が冷媒配管４１内を矢印方向に循環する。コンプレッサＰにより高温高圧になった冷媒は凝縮器２３を通り、キャピラリチューブ３９にて膨張されて低温となり蒸発器２１を通過して再びコンプレッサＰに至る経路を循環する。そして、ファンモータ１５の作動により凝縮器２３に通過する風は暖められて温風として供給され、蒸発器２１を通過する風は冷やされて冷風として供給される。ここで、制御手段３５はリモコン９からの温度設定信号により、コンプレッサＰ、ファンモータ１５の指令回転数を変更して、設定温度になるようにコントロールする。
【手続補正１１】
【補正対象書類名】明細書
【補正対象項目名】００２７
【補正方法】変更
【補正の内容】
【００２７】
さらに制御手段３５は、リモコン９からの浴室風向変更信号により、浴室ルーバー駆動部３７に対して信号を送り図３で示した浴室ルーバー３１の動作をコントロールする。
【手続補正１２】
【補正対象書類名】明細書
【補正対象項目名】００３２
【補正方法】変更
【補正の内容】
【００３２】
ここで、冷房スイッチ６５を押すと予め設定された運転時間、設定された温度で運転が開始される。設定されている運転時間を変更したい場合は温度時間スイッチ７３の操作により表示部６１の表示を時間表示にして上下スイッチ７１で運転時間の変更を行う。同様にされている設定されている温度を変更したい場合は温度時間スイッチ７３の操作により表示部６１の表示を温度表示にして上下スイッチ７１で運転時間の変更を行う。なお、送風スイッチ６５を押した場合は温度時間スイッチ７３を押しても表示部６１の表示は温度表示に切替らないように構成されている。また、後で説明する図６で示すように浴室風向スイッチ６９を押す度に浴室への吹出方向を３方向に変更することができる。
【手続補正１３】
【補正対象書類名】明細書
【補正対象項目名】００３４
【補正方法】変更
【補正の内容】
【００３４】
脱衣室冷房装置１の浴室吹出口１２に設けられた浴室ルーバー３１は図示しないモータで駆動する構成となっており、図６のように前述したリモコン９の操作により吹出方向をａ、ｂ、ｃの３方向に変更することができる。すなわち、浴室の壁面Ｆの乾燥を促進したい場合はａ方向、床付近の乾燥を促進したい場合はｂ方向、天井面Ｅの乾燥を促進したい場合はｃ方向になるようにそれぞれ使用者がリモコン９を操作する。